(57)【要約】【課題】上部空間や下部空間の排水等の水量が少なくても水流を形成できる。【解決手段】下水道トンネル１は、卵型セグメントリング１ａと、卵型セグメントリング１ａを上部空間１２と下部空間１３の二段に仕切る中蓋仕切部１０と、を備えた。中蓋仕切部１０は下部空間１３側に凸をなす略凹曲面状に形成されている。大径セグメント２からなる大径円弧部３と中蓋仕切部１０で略円形の上部空間１２を形成する。中蓋仕切部１０は略円弧状に形成されているため、雨水等の水量が少なくてもその底部に水を集めて流速を高めることができる。中蓋仕切部１０と、小径円弧部５と、大径円弧部３及び小径円弧部５の両端部を連結する連結円弧部７で下部空間１３を形成する。小径円弧部５は中蓋仕切部１０より小径であるため、水量が少なくても水流を形成できる。【選択図】図１
2019127683.tif 000002
【特許請求の範囲】
【請求項１】
断面略卵型または長円型のセグメントリングと、
前記セグメントリングを上部空間と下部空間の二段に仕切る中蓋仕切部と、を備え、
前記中蓋仕切部は前記下部空間側に凸をなすように湾曲して形成されていることを特徴とする下水道トンネル。
【請求項２】
前記セグメントリングの上部空間は、上部の第一円弧部と前記中蓋仕切部を含めて断面略円形に仕切られ、
前記セグメントリングの下部空間は、前記中蓋仕切部と、前記第一円弧部より小径をなす下部の第二円弧部と、前記第一円弧部の両側端部及び前記第二円弧部の両側端部をそれぞれ連結する連結部と、で仕切られている請求項１に記載された下水道トンネル。
【請求項３】
前記上部空間において、前記中蓋仕切部は取り外し可能に設置されている請求項２に記載された下水道トンネル。
【請求項４】
前記中蓋仕切部に設けた係止部材と、前記係止部材を介して前記中蓋仕切部を開放させる索状部材とを備えている請求項１から３のいずれか１項に記載された下水道トンネル。
【請求項５】
比較的大径のカッタービットを備えた第一カッターヘッドで地盤を回転掘削すると共に、その後方にセグメントを組み立てた第一円弧部を上部に構築する工程と、
前記第一カッターヘッドの下側で径方向に一部重ねられて配設されていて比較的小径のカッタービットを備えた第二カッターヘッドで地盤を回転掘削すると共に、その後方にセグメントを組み立てた第二円弧部を下部に構築する工程と、
前記第一カッターヘッド及び第二カッターヘッドの交差部と前記第一円弧部及び第二円弧部の両端部を結ぶ円弧部または接線部との間の地盤をサブカッタで掘削すると共に、その後方にセグメントを組み立てた連結部を構築する工程と、を同時に施工し、
前記第一円弧部、前記第二円弧部及び前記連結部を連結すると共に、下方に凸をなす断面凹曲面状の中蓋仕切部によって上部空間と下部空間を仕切ることで、断面略卵型のセグメントリングを構築することを特徴とする下水道トンネルの施工方法。
【発明の詳細な説明】
【技術分野】
【０００１】
本発明は、トンネル断面が略卵型または略長円型の形状を有する下水道トンネル及びその施工方法に関するものである。
【背景技術】
【０００２】
従来、下水道トンネルとしてレンガを組み立てて断面略卵型に構築した下水道トンネルが古くから知られている。断面卵型の下水道トンネルは縦型であり、断面略円形のトンネルよりも幅狭に構築されている。その内部空間は上部よりも下部の断面積の方が小さく形成されているために、下水や汚水等が少ない場合でも水流を確保できることが知られている。
一方、近年の分流式下水道では、汚水管と雨水管が別々の管路でそれぞれ断面円形に作られている。また、合流式下水道では、１つの断面円形の管路が敷設され、雨水と汚水を合流させて流している。
【０００３】
また、例えば特許文献１には、トンネルの断面形状として略長円形状のものが開示されている。このトンネルは道路トンネルであり、断面略長円形状のトンネルの上部空間と下部空間が水平方向に設けた中床版で仕切られている。このトンネルは限られた横幅の既存道路の下に施工可能であり、上部に一次補強層を施工することで掘削途中での地盤の崩落を防いでいる。一次補強層の下部に上部空間の構築を全区間先行して完成させ、次に上部空間の下側に板状の中床版を構築し、更にその下部に下部空間を形成することで、多数階建てトンネルを構築している。しかも下部空間の下部には平坦なインバートコンクリートが打設されている。
【先行技術文献】
【特許文献】
【０００４】
【特許文献１】特開平１１−６２４６４号公報
【発明の概要】
【発明が解決しようとする課題】
【０００５】
しかしながら、特許文献１に記載されたトンネルは、上部空間と下部空間を仕切る中床版と下部空間の底部のインバートコンクリートが平面状であるため、下水道トンネルとして用いる場合に、上部空間や下部空間を流れる下水や汚水等の水量が少ないと十分に流れないという問題があった。そのため、汚水等で汚れる可能性があった。
しかも、地盤内で上側から一次補強層、上部空間、中床版、下部空間を順次下方に向けて構築する施工方法であるため施工期間が長期にわたり、高コストであるという問題もある。
【０００６】
本発明は、このような課題に鑑みてなされたものであって、上部空間や下部空間の下水や汚水等の水量が少なくても水流を形成でき、しかも短期間で施工できるようにした下水道トンネル及びその施工方法を提供することを目的とする。
【課題を解決するための手段】
【０００７】
本発明による下水道トンネルは、断面略卵型または長円型のセグメントリングと、セグメントリングを上部空間と下部空間の二段に仕切る中蓋仕切部と、を備え、中蓋仕切部は下部空間側に凸をなす断面略凹曲面状に形成されていることを特徴とする。
本発明によれば、下水道トンネルを中蓋仕切部で上部空間と下部空間に分離して雨水や汚水等の異なる種類の下水を別個に流すことができ、しかも上部空間の底部である中蓋仕切部を断面凹曲面状に形成したため、また下部空間の底部も卵型または長円型であるため、水量が少なくても底部に集めてスムーズに流すことができる。
【０００８】
また、セグメントリングの上部空間は、上部の第一円弧部と中蓋仕切部を含めて断面略円形に仕切られ、セグメントリングの下部空間は、中蓋仕切部と第一円弧部より小径をなす下部の略第二円弧部と第一円弧部の両側端部及び第二円弧部の両側端部をそれぞれ連結する連結部とで仕切られていることが好ましい。
これにより、水量が少なくても雨水や汚水等を上部空間の中蓋仕切部と下部空間の第二円弧部で集めて個別にしかもスムーズに流すことができて、その後の処理が容易で処理コストを低減できる。
【０００９】
また、上部空間において、中蓋仕切部は取り外し可能に設置されていることが好ましい。
上部空間内の中蓋仕切部上を作業員が歩行等して保守点検ができる上に中蓋仕切部を取り外すことで下部空間の保守点検を迅速に行える。また、中蓋仕切部を外すことで上部空間の下水を下部空間に流して汚水等の清掃ができる。
【００１０】
また、中蓋仕切部に設けた係止部材と、係止部材を介して中蓋仕切部を開放させる索状部材とを備えていることが好ましい。
索状部材を引っ張ることで係止部材を介して中蓋仕切部を開放または取り外しできるため、上部空間の雨水等を下部空間に流して汚水等の清掃が行え、更に上部通路から下部通路を点検することが容易である。
【００１１】
本発明による下水道トンネルの施工方法は、比較的大径のカッタービットを備えた第一カッターヘッドで地盤を回転掘削すると共に、その後方にセグメントを組み立てた第一円弧部を上部に構築する工程と、第一カッターヘッドの下側で径方向に一部重ねられて配設されていて比較的小径のカッタービットを備えた第二カッターヘッドで地盤を回転掘削すると共に、その後方にセグメントを組み立てた第二円弧部を下部に構築する工程と、第一カッターヘッド及び第二カッターヘッドの交差部と第一円弧部及び第二円弧部の両端部を結ぶ円弧部または接線部との間の地盤をサブカッタで掘削すると共に、その後方にセグメントを組み立てた連結部を構築する工程と、を同時に施工し、第一円弧部、第二円弧部及び連結部を連結すると共に、下方に凸をなす断面凹曲面状の中蓋仕切部によって上部空間と下部空間を仕切ることで、断面略卵型のセグメントリングを構築することを特徴とする。
本発明によれば、上部空間の第一円弧部と下部空間の第二円弧部と両者を連結する連結部とを同時に構築することで断面略卵型のセグメントリングを形成することができ、しかも施工期間が短く施工コストが低廉になる。
【発明の効果】
【００１２】
本発明による下水道トンネル及びその施工方法によれば、断面略卵型または長円形状の下水道トンネルの上部空間と下部空間の間に下方に凸をなす断面略凹曲面状の中蓋仕切部を構築したため、上部空間と下部空間に水量が少なくても底部に集めて水流を確保することができる。
【図面の簡単な説明】
【００１３】
【図１】本発明の第一実施形態による下水道トンネルの縦断面図である。
【図２】図１に示す下水道トンネルを流れる下水や汚水を示す縦断面図である。
【図３】図１に示す下水道トンネルを掘削する下水道トンネル施工方法を示すシールド掘削機の断面図である。
【図４】図３に示すシールド掘削機におけるカッターヘッドの正面図である。
【図５】本発明の第二実施形態による下水道トンネルの縦断面図である。
【図６】図５に示す中蓋仕切部に連結されたアイボルトを示す図である。
【発明を実施するための形態】
【００１４】
以下、本発明の各実施形態による下水道トンネルとその施工方法について図１〜図６を参照して説明する。
図１〜図４は第一実施形態による下水道トンネル１とその施工方法を示す図である。
図１に示す本実施形態による下水道トンネル１は、例えばシールド掘削機によって地盤内に構築されたものであり、横幅が限られた道路の下側に設置されている。下水道トンネル１は上部が大径で下部が小径をなすように縦置きされた卵型セグメントリング１ａの断面形状を有している。
【００１５】
下水道トンネル１の縦断面である卵型セグメントリング１ａにおいて、上側に比較的大径の円Ｒ１の一部を形成するべく大径セグメント２を継手で連結して円弧状に形成した大径円弧部３を有しており、下側に比較的小径の円Ｒ２の一部を形成するべく小径セグメント４を継手で連結して円弧状に形成した小径円弧部５を有している。大径円弧部３は円Ｒ１の中心点Ｏ１を有していて例えば略半円状に形成され、小径円弧部５は円Ｒ２の中心点を有していて半円より小さい円弧状に形成されている。
大径円弧部３の両端部と小径円弧部５の両端部とは中段セグメント６を継手で連結することで円弧状に形成した連結円弧部７を有している。連結円弧部７は中段セグメント６によって大径円弧部３の大径セグメント２の径よりも更に大径の円Ｒ３の一部を形成している。
【００１６】
下水道トンネル１の外側に設けた円Ｒ３の中心点Ｏ３と大径円弧部３の中心点Ｏ１と大径円弧部３の端部を結ぶ仮想線Ｌ１と、中心点Ｏ３と小径円弧部５の中心点Ｏ２と小径円弧部５の端部を結ぶ仮想線Ｌ２との長さが略同一である。連結円弧部７は、下水道トンネル１の両側で、仮想線Ｌ１、Ｌ２の間の角度範囲で、中心点Ｏ３を中心に大径円弧部３と小径円弧部５の各端部同士を結ぶ円弧を形成している。
これにより、複数の各セグメント２、４、６で形成した各円弧状の大径円弧部３と小径円弧部５と連結円弧部７とで、略卵型の外殻断面形状を有する卵型セグメントリング１ａを形成している。
【００１７】
両側の連結円弧部７における大径円弧部３の端部に連結された上側の中段セグメント６(以下、これを符号６Ａで示す)は、その内面が大径円弧部３の内周面と略同一またはより小さい曲率半径を形成している。しかも両側の中段セグメント６Ａの内面には段付き受け部６ｂが形成され、両側の段付き受け部６ｂ間には中蓋セグメント１０ａを連結した中蓋仕切部１０が取り外し可能に嵌合されている。
【００１８】
中蓋仕切部１０は大径セグメント２と略同一または若干小さい半径を有していて下部の小径円弧部５側に凸をなす凹曲面断面を形成している。そのため、大径円弧部３と中段セグメント６Ａと中蓋仕切部１０とで大径の円Ｒ１と概略で同一断面を有する円形空間を形成しており、例えば雨水等の下水を流すための上部空間１２（上部管路）を構成している。図２に示す下水道トンネル１の上部空間１２において、雨水等の下水の水量が少ない場合でも断面円弧状の中蓋仕切部１０の底部に集めてスムーズに流すことができる。
【００１９】
また、下水道トンネル１において、上部空間１２の下側の空間は小径円弧部５とその両側の連結円弧部７と中段セグメント６Ａの段付き受け部６ｂに嵌合された中蓋仕切部１０とで仕切られた下部空間１３（下部管路）を構成している。
下部空間１３は例えば汚水等を流す流路であり、その下部が小径円弧部５で上部空間１２よりも幅狭に形成されているために水量が少なくても底部に集めてスムーズに流すことができる。なお、上部空間１２に汚水を流し、下部空間１３に雨水等を流してもよい。
【００２０】
そのため、本実施形態による下水道トンネル１は、縦断面で上部から下部に向けて先細となる縦長の卵型断面を有する卵型セグメントリング１ａを構成するため、全体に同一断面積の円形管を設置した場合と比較して、比較的横幅の狭い道路の下側に敷設することが可能になる。しかも、その上部空間１２から下部空間１３に向けて幅が狭くなるため、流量が少なく最少流速を確保することが困難な低勾配地でもその水深と流速をアップさせることができ、流れる汚水に対して安定した掃流性を確保できる。
【００２１】
次に、本発明の第一実施形態による下水道トンネル１の施工方法について図３及び図４により説明する。
本実施形態による下水道トンネル１を掘削するためのシールド掘削機１１は、親機１４と子機１５とを合体させた一体構成を備えている。図３及び図４に示すように、親機１４は前面に地山を掘り進む大径の円板型の主カッターヘッド１６(第一カッターヘッド)が回転掘削可能に設置され、子機１５には前面に地山を掘り進む円板型の副カッターヘッド２４が回転掘削可能に設置されている。副カッターヘッド２４は主カッターヘッド１６の背面側でその回転中心をなす回転軸１６ａに干渉しない範囲で主カッターヘッド１６に重なって配設されている。
【００２２】
親機１４において、主カッターヘッド１６の前面には地山を回転掘削するためのカッタービット１７が例えば略Ｘ字状の基部に装着されている。主カッターヘッド１６は大径円弧部３を設けた上部空間１２を掘削形成するものである。主カッターヘッド１６の背面側にはシールドフレーム１８の筒体状の内周面に沿って大径セグメント２を組み立てるセグメント組立装置としてエレクター装置１９が設置されている。トンネル穴は地山を主カッターヘッド１６の回転で掘り進むシールド工法によって形成される。略円弧板状の大径セグメント２はトンネル掘進方向の前後に継手で既設のセグメントの前面に組み付けられて大径円弧部３を構築する。
シールド掘削機１１にはエレクター装置１９で組み立てた大径セグメント２を前方から後方に押し付けて反力をとるジャッキ２１Ａが設けられている。エレクター装置１９により大径円弧部３を設けた上部空間１２を形成するものである。
【００２３】
また、子機１５において、副カッターヘッド２４(第二カッターヘッド)は、主カッターヘッド１６の背面側で前面に地山を掘り進むために回転掘削可能にセットされている。副カッターヘッド２４の前面には地山を回転掘削するためのカッタービット２５が例えば略Ｘ字状の基部に装着されている。副カッターヘッド２４の背面側では、エレクター装置１９によってシールドフレーム２８の筒体状の内周面に沿って小径セグメント４を組み立てることができる。
トンネル穴は地山を副カッターヘッド２４の回転で掘り進むシールド工法によって形成される。エレクター装置１９によって、略円弧板状の小径セグメント４はトンネル掘進方向の前後に継手で既設のセグメントの前面に組み付けられて小径円弧部５を構築する。
【００２４】
シールド掘削機１１の子機１５には、エレクター装置１９で組み立てた小径セグメント４を前方から後方に押し付けるジャッキ２１Ｂが設けられている。エレクター装置１９は小径円弧部５を設けた下部空間１３を形成するものである。
【００２５】
主カッターヘッド１６の背面側で副カッターヘッド２４が部分的に主カッターヘッド１６の回転軌跡に重複することで卵型セグメントリング１ａの上部と下部を構築可能である。その際、副カッターヘッド２４が主カッターヘッド１６の回転軸１６ａに干渉しない程度に重複の程度が調整されている。
また、図４に示すように、主カッターヘッド１６の回転軌跡を描く大径の円Ｒ１と副カッターヘッド２４の回転軌跡を描く小径の円Ｒ２の交差部Ｐと連結円弧部７との間の空間を掘削するために主サブカッタ３０、副サブカッタ３１が用いられる。
主サブカッタ３０は主カッターヘッド１６の回転軸１６ａまたは径方向の適宜位置から径方向外側に延びていて伸縮可能な油圧ジャッキ３３に連結されている。主サブカッタ３０は、連結円弧部７の外形に沿った領域で主カッターヘッド１６から外れた下方領域を、油圧ジャッキ３３を伸長させながら部分的に掘削可能とされている。
【００２６】
同様に、副サブカッタ３１は副カッターヘッド２４の回転軸２４ａまたは径方向の適宜位置から径方向外側に延びていて伸縮可能な油圧ジャッキ３４に連結されている。副サブカッタ３１は、連結円弧部７の外形に沿った領域で副カッターヘッド２４から外れた上方領域を、油圧ジャッキ３４を伸長させながら掘削可能とされている。卵型セグメントリング１ａにおける主カッターヘッド１６及び副カッターヘッド２４で掘削できない部分は、主サブカッタ３０及び副サブカッタ３１をコンピュータ制御することで適量突出させて掘削する。
こうして主サブカッタ３０、副サブカッタ３１で掘削された領域において、略円弧板状の中段セグメント６Ａ，６がトンネル掘進方向の前後に継手で既設のセグメントの前面に組み付けられて連結円弧部７を構築する。連結円弧部７は大径円弧部３と小径円弧部５の端部同士を連結して円弧状に形成される。
【００２７】
なお、中蓋仕切部１０は、下水道トンネル１の施工時に大径円弧部３及び小径円弧部５及び連結円弧部７からなる卵型セグメントリング１ａの構築と同時に、エレクター装置１９によって構築することができる。この場合、中蓋仕切部１０は卵型セグメントリング１ａの中間高さでその内側を上部空間１２と下部空間１３に仕切って設置されているため、土圧の影響を受けない。
【００２８】
本実施形態による下水道トンネル１は上述の構成を有しており、次にその使用方法を説明する。
下水道トンネル１の使用に際して、雨水等は排水口やマンホール等を通して卵型セグメントリング１ａの上部空間１２に流れ落ちて主として下方に凹曲面状に湾曲した中蓋仕切部１０を流れて下流側に送られる。雨水等の水量が少なくても中蓋仕切部１０の凹曲面の底部に集められて水流を形成できる。
一方、汚水は水洗トイレや浄化槽等の排水管を通して卵型セグメントリング１ａの下部空間１３に流される。その際、下部空間１３の底部は小径円弧部５によって上部空間１２よりも幅が狭くて円Ｒ１や中蓋仕切部１０より小径の円Ｒ２で形成されているため、汚水の水量が少なくても底部に集めて水流を形成しスムーズに流すことができる。
【００２９】
また、保守管理等を行う作業員が下水道トンネル１の上部空間１２内を歩行しながら点検する場合には、中段セグメント６Ａや中蓋仕切部１０の領域を歩行することができる。そのため、靴を濡らさないで歩行可能で歩行スピードが上がり、効率的に保守点検を行える。
雨天時等に、中蓋仕切部１０を開放して上部空間１２内の増水した水流の一部を下部空間１３に流すことで、汚水管として使用する下部空間１３の汚水を流して清掃を行える。更に、豪雨等で上部空間１２の水位が急激に高まる恐れがある場合には、中蓋仕切部１０を予め外して下部空間１３に流すことでマンホール等から雨水が溢れることを防止できる。
【００３０】
上述したように、本実施形態による下水道トンネル１及びその施工方法によれば、その縦断面形状を上方から下方に向けて小径化した縦長の卵型セグメントリング１ａに形成したため、横幅の狭い道路等の下部に敷設可能であり、有効利用できる。
そして、卵型セグメントリング１ａの上部空間１２は中蓋仕切部１０により、下部空間１３は小径円弧部５によって底部を形成したため、雨水や汚水の水量が少なくても底部に集めて水流を確保して移送と処理を行える。雨天時等に中蓋仕切部１０を外して増水した雨水を下部空間１３に流すことで下部空間１３の清掃が行えると共に、上部空間１２から雨水が道路上に溢れることを防止できる。
【００３１】
特に、下部空間１３の小径円弧部５が上部空間１２の中蓋仕切部１０より縮径されているため、流量が少なく最少流速を確保するのが困難な低勾配地でも水深を得て流速を早めることができて安定した掃流性を確保できる。
更に、卵型セグメントリング１ａからなる下水道トンネル１において、中蓋仕切部１０によって雨水等を流す上部空間（上部管路）１２と汚水等を流す下部空間（下部管路）１３とに分離したため、水処理場等での雨水と汚水の処理費用を低減できる。
また、下水道トンネル１の上部空間１２と下部空間１３を同時に施工できるため、工事費用が低廉になる。しかも、保守点検に際して、作業員が中蓋仕切部１０を歩行できるため靴をぬらさずに効率的に点検できる。
【００３２】
以上、本発明の実施形態による下水道トンネル１及びその施工方法について詳細に説明したが、本発明は上述の実施形態に限定されることはなく、本発明の趣旨を逸脱しない範囲で適宜の変更や置換等が可能であり、これらはいずれも本発明に含まれる。以下に、本発明の他の実施形態や変形例等について説明するが、上述の実施形態と同一または同様な部分、部材には同一の符号を用いて説明を省略する。
【００３３】
次に本発明の第二実施形態による下水道トンネル４０について図５及び図６により説明する。
本第二実施形態による下水道トンネル４０は第一実施形態による下水道トンネル１と同一構成を有している。本実施形態において、卵型セグメントリング１ａにおける上部空間１２の内面天井にインサートボルト４１ａを捻じ込み固定した。同様に上部空間１２の両側の中段セグメント６Ａの段付き受け部６ｂに嵌合された中蓋仕切部１０の両端部にもインサートボルト４１ｂをそれぞれ捩じ込み固定した。しかも、上部空間１２の内面天井のインサートボルト４１ａにはアイボルト４３をねじ込み固定する。中蓋仕切部１０の両端部のインサートボルト４１ｂには、中蓋仕切部１０と中段セグメント６Ａに固定ボルト４２が締め込まれ、中蓋仕切部１０が固定されている。
【００３４】
作業員が下水道トンネル４０を点検する場合、上部空間１２内の作業員が上部空間１２と下部空間１３を点検する。その際、上部空間１２を点検した作業員が中蓋仕切部１０の両端部のインサートボルト４１ｂから固定ボルト４２を外し、アイボルト４３をそれぞれ締め込む。そして、天井内面のアイボルト４３に索状部材としてチェーン４５を通して両端を中蓋仕切部１０の両端部のアイボルト４３に係止させる。なお、アイボルト４３に代えてフックボルトを装着してもよく、これらは係止部材に含まれる。チェーン４５には、適宜箇所にチェーンブロック４６を装着する。
そして、作業員がチェーンブロック４６でチェーン４５を引き上げることで、アイボルト４３を介して中蓋仕切部１０が引き上げられるので、下部空間１３の内部を点検することができる。
【００３５】
なお、上述した各実施形態では、下水道トンネル１、４０として卵型セグメントリング１ａを用いたが、本発明はこのような構成に限定されるものではない。例えば上下方向に延びる断面長円型のセグメントリングを用いてもよく、その内部を上下に仕切る中蓋仕切部１０を嵌合固定し、または着脱可能に設置すればよい。
また、上述した各実施形態では卵型セグメントリング１ａの大径円弧部３と小径円弧部５の両端部を略円弧状の連結円弧部７で形成したが、連結円弧部７に代えて大径円弧部３と小径円弧部５の両端部の接線部を断面直線状に形成してもよく、これらは連結部に含まれる。
【００３６】
なお、上述の各実施形態では、中蓋仕切部１０は小径円弧部５より径の大きい弧状に形成したが、小径円弧部５と同程度またはそれ以下の内径を有するように形成してもよい。また、中蓋仕切部１０は複数の中蓋セグメント１０ａを連結することで形成したが、幅方向に一体の略円弧版で形成してもよい。
大径円弧部３は第一円弧部、小径円弧部５は第二円弧部、連結円弧部７は連結部に含まれる。
【符号の説明】
【００３７】
１、４０  下水道トンネル
１ａ  卵型セグメントリング
２  大径セグメント
３  大径円弧部
４  小径セグメント
５  小径円弧部
６，６Ａ  中段セグメント
６ｂ  段付き受け部
７  連結円弧部
１０  中蓋仕切部
１１  シールド掘削機
１２  上部空間（上部管路）
１３  下部空間（下部管路）
１６  主カッターヘッド
１６ａ、２４ａ  回転軸
１５Ｂ  第二エレクター装置
１６  主カッターヘッド
１７、２５  カッタービット
２４  副カッターヘッド
３０  主サブカッタ
３１  副サブカッタ
３３、３４  油圧ジャッキ
４１ａ、４１ｂ  インサートボルト
４３  アイボルト
４５  チェーン
４６  チェーンブロック
【図１】
2019127683.tif 000003
【図２】
2019127683.tif 000004
【図３】
2019127683.tif 000005
【図４】
2019127683.tif 000006
【図５】
2019127683.tif 000007
【図６】
2019127683.tif 000008